(57)【要約】【課題】ペアリング作業において、照明器具と無線コントローラとのペアリングに関する情報を取得することができる照明システム等を提供する。【解決手段】照明システム１００は、複数の照明器具１〜４と、複数の照明器具１〜４と通信する無線コントローラ２１と、複数の照明器具１〜４と通信する設定器３０とを備える。設定器３０は、複数の照明器具１〜４のそれぞれと無線コントローラ２１とのペアリングを開始する第１の指示信号を送信する。複数の照明器具１〜４のそれぞれは、第１の指示信号を受信する信号受信部１０ａと、第１の指示信号を受信した後に無線コントローラ２１との第１のペアリングを実行し、第１のペアリングの結果または過程に関する情報に基づいて、設定器３０との第２のペアリングを実行すべきか否かを判断し、第２のペアリングを実行すべきと判断した場合に設定器３０との第２のペアリングを実行する。【選択図】図４
2019009601.tif 000002
【特許請求の範囲】
【請求項１】
複数の照明器具と、前記複数の照明器具と通信する無線コントローラと、前記複数の照明器具と通信する設定器とを備え、
前記設定器は、前記複数の照明器具のそれぞれと前記無線コントローラとのペアリングを開始する第１の指示信号を送信する信号送信部を備え、
前記複数の照明器具のそれぞれは、前記第１の指示信号を受信する信号受信部と、前記第１の指示信号を受信した後に前記無線コントローラとの第１のペアリングを実行し、前記第１のペアリングの結果または過程に関する情報に基づいて、前記設定器との第２のペアリングを実行すべきか否かを判断し、前記第２のペアリングを実行すべきと判断した場合に前記設定器との前記第２のペアリングを実行する制御部とを備える
照明システム。
【請求項２】
前記複数の照明器具のそれぞれは、前記設定器と通信する通信部を備え、前記制御部は、前記第２のペアリングを実行すべきと判断した場合に、前記第１のペアリングの結果または過程に関する情報を前記通信部を介して前記設定器に送信し、
前記設定器は、送信された前記第１のペアリングの結果または過程に関する情報を表示する表示部を備える
請求項１に記載の照明システム。
【請求項３】
前記制御部は、前記第１のペアリングの結果が失敗である場合に、前記第２のペアリングを実行すべきと判断し、かつ、前記第１のペアリングの結果に関する情報である失敗情報を前記通信部を介して前記設定器に送信し、
前記設定器の前記表示部は、送信された前記失敗情報を表示する
請求項２に記載の照明システム。
【請求項４】
前記制御部は、前記第１のペアリングの過程において複数回の通信可否確認を行い、前記複数回の通信可否確認のうち１回以上の失敗がある場合に、前記第２のペアリングを実行すべきと判断し、かつ、前記第１のペアリングの過程に関する情報である前記通信可否確認の情報を前記通信部を介して前記設定器に送信し、
前記設定器の前記表示部は、送信された前記通信可否確認の情報を表示する
請求項２に記載の照明システム。
【請求項５】
前記制御部は、前記第１のペアリングの過程において電波強度が基準値よりも小さい場合に、前記第２のペアリングを実行すべきと判断し、かつ、前記第１のペアリングの過程に関する情報である前記電波強度の情報を前記通信部を介して前記設定器に送信し、
前記設定器の表示部は、送信された前記電波強度の情報を表示する
請求項２に記載の照明システム。
【請求項６】
前記設定器は、前記照明器具と通信する通信部と、前記照明器具の点灯を制御する制御部とを備え、
前記設定器の前記制御部は、前記第２のペアリングが実行された後に、当該通信部を介して、前記複数の照明器具のうち前記第２のペアリングを行った照明器具に点灯信号を送信する
請求項１〜５のいずれか１項に記載の照明システム。
【請求項７】
前記設定器の前記制御部は、前記第２のペアリングが実行された後に、前記無線コントローラとの通信確認を行う
請求項１〜６のいずれか１項に記載の照明システム。
【請求項８】
前記設定器の前記制御部は、前記第２のペアリングが実行された後に、前記無線コントローラと異なる他の無線コントローラに、当該通信部を介して、前記複数の照明器具のうち前記第２のペアリングを行った照明器具の識別情報を送信する
請求項６に記載の照明システム。
【請求項９】
前記設定器が前記識別情報を複数有する場合に、
前記設定器の制御部は、前記他の無線コントローラに、当該通信部を介して、複数の前記識別情報を一括送信する
請求項８に記載の照明システム。
【請求項１０】
無線コントローラおよび設定器と通信する照明器具であって、
前記無線コントローラとのペアリングを開始する第１の指示信号を受信する信号受信部と、
前記第１の指示信号を受信した後に前記無線コントローラとの第１のペアリングを実行し、前記第１のペアリングの結果または過程に基づいて、前記設定器との第２のペアリングを実行すべきか否かを判断し、前記第２のペアリングを実行すべきと判断した場合に前記設定器との前記第２のペアリングを実行する制御部と
を備える照明器具。
【請求項１１】
複数の照明器具と、前記複数の照明器具と通信する無線コントローラと、前記複数の照明器具と通信する設定器とを備える照明システムのペアリング方法であって、
前記複数の照明器具のそれぞれに、前記照明器具と前記無線コントローラとのペアリングを開始する第１の指示信号を送信し、
前記第１の指示信号が送信された後に前記照明器具と無線コントローラとの第１のペアリングを実行し、
前記第１のペアリングの結果または過程に基づいて、前記照明器具と前記設定器との第２のペアリングを実行すべきか否かを判断し、
前記第２のペアリングを実行すべきと判断した場合に前記第２のペアリングを実行する
照明システムのペアリング方法。
【請求項１２】
前記第２のペアリングが実行された前記照明器具に、前記無線コントローラと異なる他の無線コントローラとのペアリングを開始する第１の指示信号を送信し、
前記第１の指示信号が送信された後に当該照明器具と前記他の無線コントローラとのペアリングを実行する
請求項１１に記載の照明システムのペアリング方法。
【発明の詳細な説明】
【技術分野】
【０００１】
本発明は、照明器具と無線コントローラと設定器とを備える照明システム、照明器具、および、照明システムのペアリング方法に関する。
【背景技術】
【０００２】
従来、複数の照明器具と、複数の照明器具と通信する無線コントローラと、設定器とを備える照明システムが知られている（例えば特許文献１参照）。この種の照明システムでは、複数の照明器具および無線コントローラが建物の造営材等に設置された後、例えば、設定器からのペアリング指示をきっかけとして、各照明器具と無線コントローラとのペアリングが行われる。ペアリングが行われることで、無線コントローラを用いて照明器具を調光または調色制御することが可能となる。
【先行技術文献】
【特許文献】
【０００３】
【特許文献１】特開２０１６−１０３３７２号公報
【発明の概要】
【発明が解決しようとする課題】
【０００４】
例えば、無線コントローラからの電波が届かずに照明器具と無線コントローラとのペアリングが失敗した場合、他の無線コントローラ等の増設が行われるが、他の無線コントローラをどの場所に増設すればよいかがわからずにペアリング作業が停滞するという問題がある。また、上記ペアリングが成功した場合であっても通信状態に不安定要素が含まれていることがあり、それを起因として不安定な通信状態が発生したときに、その対処に手間取るという問題がある。
【０００５】
そこで、本発明は、ペアリング作業において、照明器具と無線コントローラとのペアリングに関する情報を取得することができる照明システム等を提供することを目的とする。
【課題を解決するための手段】
【０００６】
本発明の照明システムの一態様は、複数の照明器具と、前記複数の照明器具と通信する無線コントローラと、前記複数の照明器具と通信する設定器とを備え、前記設定器は、前記複数の照明器具のそれぞれと前記無線コントローラとのペアリングを開始する第１の指示信号を送信する信号送信部を備え、前記複数の照明器具のそれぞれは、前記第１の指示信号を受信する信号受信部と、前記第１の指示信号を受信した後に前記無線コントローラとの第１のペアリングを実行し、前記第１のペアリングの結果または過程に関する情報に基づいて、前記設定器との第２のペアリングを実行すべきか否かを判断し、前記第２のペアリングを実行すべきと判断した場合に前記設定器との前記第２のペアリングを実行する制御部とを備える。
【０００７】
本発明の照明器具の一態様は、無線コントローラおよび設定器と通信する照明器具であって、前記無線コントローラとのペアリングを開始する第１の指示信号を受信する信号受信部と、前記第１の指示信号を受信した後に前記無線コントローラとの第１のペアリングを実行し、前記第１のペアリングの結果または過程に基づいて、前記設定器との第２のペアリングを実行すべきか否かを判断し、前記第２のペアリングを実行すべきと判断した場合に前記設定器との前記第２のペアリングを実行する制御部とを備える。
【０００８】
本発明の照明システムのペアリング方法の一態様は、複数の照明器具と、前記複数の照明器具と通信する無線コントローラと、前記複数の照明器具と通信する設定器とを備える照明システムのペアリング方法であって、前記複数の照明器具のそれぞれに、前記照明器具と前記無線コントローラとのペアリングを開始する第１の指示信号を送信し、前記第１の指示信号が送信された後に前記照明器具と無線コントローラとの第１のペアリングを実行し、前記第１のペアリングの結果または過程に基づいて、前記照明器具と前記設定器との第２のペアリングを実行すべきか否かを判断し、前記第２のペアリングを実行すべきと判断した場合に前記第２のペアリングを実行する。
【発明の効果】
【０００９】
ペアリング作業において、照明器具と無線コントローラとのペアリングに関する情報を取得することができる。
【図面の簡単な説明】
【００１０】
【図１】実施の形態１に係る照明器具を示す概略図である。
【図２】実施の形態１に係る照明システムの構成を示すブロック図である。
【図３Ａ】実施の形態１に係る照明システムにおいて、ペアリング作業を行う様子を示す図である。
【図３Ｂ】図３Ａにひきつづき、ペアリング作業を行う様子を示す図である。
【図３Ｃ】図３Ｂにひきつづき、ペアリング作業を行う様子を示す図である。
【図３Ｄ】図３Ｃにひきつづき、ペアリング作業を行う様子を示す図である。
【図３Ｅ】図３Ｄにひきつづき、ペアリング作業を行う様子を示す図である。
【図４】実施の形態１に係る照明システムのペアリング方法を示すフローである。
【図５】実施の形態１に係る照明システムの設定器の表示部を示す図である。
【図６Ａ】実施の形態２に係る照明システムのペアリング方法を示すフローである。
【図６Ｂ】実施の形態２に係る照明システムの設定器の表示部を示す図である。
【図７Ａ】実施の形態３に係る照明システムのペアリング方法を示すフローである。
【図７Ｂ】実施の形態３に係る照明システムの設定器の表示部を示す図である。
【図８Ａ】実施の形態４に係る照明システムにおいて、ペアリング作業を行う様子を示す図である。
【図８Ｂ】実施の形態４に係る照明システムのペアリング方法を示すフローである。
【図８Ｃ】実施の形態４に係る照明システムの設定器の表示部を示す図である。
【図９Ａ】実施の形態５に係る照明システムにおいて、ペアリング作業を行う様子を示す図である。
【図９Ｂ】図９Ａにひきつづき、ペアリング作業を行う様子を示す図である。
【図９Ｃ】図９Ｂにひきつづき、ペアリング作業を行う様子を示す図である。
【図９Ｄ】実施の形態５に係る照明システムのペアリング方法を示すフローである。
【図９Ｅ】実施の形態５に係る照明システムの設定器の表示部を示す図である。
【発明を実施するための形態】
【００１１】
（実施の形態１）
以下、実施の形態に係る照明システム等について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略または簡略化する。
【００１３】
［１−１．照明システムの構成］
図１は、実施の形態１に係る照明システム１００を示す概略図である。図２は、照明システム１００の構成を示すブロック図である。
【００１４】
まず、図１および図２を参照しながら照明システム１００の通信系統について説明する。
【００１５】
照明システム１００は、例えば、複数の照明器具１、２、３および４と、無線コントローラ２１と、設定器３０とを備えている。なお、照明システム１００は、無線コントローラ２１と異なる他の無線コントローラ２２を備え、これらの無線コントローラ２１、２２を統括する上位コントローラを備えていてもよい（図示省略）。また、複数の照明器具１〜４は、４台に限られず、建物の造営材である天井などに１００台以上設置されることがある。以下において、複数の照明器具１〜４のうち、照明器具１または４を代表例に挙げて説明する場合がある。
【００１６】
照明器具１と無線コントローラ２１とは、無線ｒ１によって通信可能となっている。無線ｒ１による通信方式としては、例えば、９２０ＭＨｚ帯または２．４ＧＨｚ帯の周波数を利用した特定小電力無線、Zigbee（登録商標）、Bluetooth（登録商標）、または、ＷｉＦｉ（登録商標）などの方式が用いられる。
【００１７】
設定器３０と無線コントローラ２１とは、無線ｒ３によって通信可能となっている。無線ｒ３による通信方式としては、無線ｒ１と同様の方式が用いられる。
【００１８】
設定器３０は、赤外線通信ｉ１によって照明器具１と通信可能となっている。具体的には、設定器３０は、指向性を有する通信の一例である赤外線通信ｉ１を用いて照明器具１に信号を送信することができる。複数の照明器具１〜４は、設定器３０からの赤外線信号を個別に受信することができるように、例えば、５ｍほど間隔をあけて天井に設置されている。図１に示されるように、照明器具１の近くに設定器３０を位置させ、照明器具１に向けて赤外線通信ｉ１で信号を送ることで、対象とする照明器具１のみに情報を伝達することができる。なお、赤外線通信ｉ１に限られず、レーザ光またはＮＦＣ（Near  Field  Communication）など１対１で対応をとることが可能な無線を用いて、照明器具１に対して個別に信号を送信してもよい。
【００１９】
また、設定器３０と照明器具１とは、無線ｒ２によって通信可能となっている。無線ｒ２による通信方式としては、無線ｒ１と同様の方式が用いられる。
【００２０】
本実施の形態では、各照明器具１〜４と無線コントローラ２１とのペアリングがそれぞれ実行され、例えば、照明器具４と無線コントローラ２１とのペアリングが失敗した場合に、照明器具４と設定器３０とでペアリングが実行される。以下において、各照明器具１〜４と無線コントローラ２１との間でそれぞれ実行されるペアリングを第１のペアリングと呼び、例えば、照明器具４と設定器３０との間で実行されるペアリングを第２のペアリングと呼ぶこととする。
【００２１】
次に、照明システム１００を構成する照明器具１、無線コントローラ２１および設定器３０の各構成について説明する。
【００２２】
無線コントローラ２１は、各照明器具１〜４の点灯を無線で制御するコントローラである。無線コントローラ２１は、照明器具１および設定器３０のそれぞれと通信する通信部２０ｂと、通信部２０ｂに接続された制御部２０ｃとを備えている。
【００２３】
通信部２０ｂは、アンテナおよび無線モジュールなどにより構成されている。通信部２０ｂは、前述したように、無線ｒ１によって照明器具１と通信可能である。
【００２４】
制御部２０ｃは、ＣＰＵ（central  processing  unit）、ＲＡＭ（Random  Access  Memory）およびＲＯＭ（read  only  memory）などにより構成される。制御部２０ｃには、無線コントローラ２１の識別情報が通信用のアドレスとして記憶されている。識別情報の例としては、ＭＡＣ（Media  Access  Control  address）アドレスなどが挙げられる。制御部２０ｃは、無線ｒ１を用いて、照明器具１と第１のペアリングを実行するように構成されている。
【００２５】
照明器具１は、例えば、ＬＥＤ（Light  Emitting  Diode）ライトである。照明器具１は、信号受信部１０ａと、通信部１０ｂと、点灯部１０ｄとを備え、また、信号受信部１０ａ、通信部１０ｂおよび点灯部１０ｄのそれぞれに接続された制御部１０ｃを備えている。
【００２６】
信号受信部１０ａは、例えば、赤外線検出器であり、設定器３０から赤外線通信ｉ１で送信された第１の指示信号を受信する。第１の指示信号とは、照明器具１と無線コントローラ２１とのペアリングを開始する指示信号である。第１の指示信号には、第１のペアリングの相手である無線コントローラ２１の識別情報と、第２のペアリングの相手である設定器３０の識別情報などが含まれている。
【００２７】
通信部１０ｂは、アンテナおよび無線モジュールなどにより構成されている。通信部１０ｂは、前述したように、無線ｒ１によって無線コントローラ２１と通信可能であり、また、無線ｒ２によって設定器３０と通信可能である。
【００２８】
点灯部１０ｄは、例えば、白色光、赤色光、緑色光または青色光を発する複数の発光ダイオードを含んでいる。
【００２９】
制御部１０ｃは、ＣＰＵ、ＲＡＭおよびＲＯＭなどにより構成される。制御部１０ｃには、照明器具１の識別情報が記憶されている。制御部１０ｃは、例えばペアリングの設定作業中において、設定器３０から送信される点灯信号に基づいて、点灯部１０ｄを点灯制御する。
【００３０】
制御部１０ｃは、設定器３０から送信された第１の指示信号に基づいて、無線コントローラ２１と第１のペアリングを実行する。その際、制御部１０ｃは、第１のペアリングの結果または過程に関する情報を取得するように構成されている。具体的には、制御部１０ｃは、第１のペアリングの結果として、第１のペアリングの成否に関する情報を取得する。また、制御部１０ｃは、第１のペアリングの過程に関する情報として、その情報を取得するために無線コントローラ２１と複数回の通信可否確認を行い、その通信可否確認に関する情報を取得する。また、制御部１０ｃは、電波強度を計測する計測部を有しており、第１のペアリングの過程に関する情報として、無線コントローラ２１の電波強度を計測し、その電波強度に関する情報を取得する。
【００３１】
制御部１０ｃは、取得した第１のペアリングの結果および過程に関する情報に基づいて、設定器３０との第２のペアリングを実行すべきか否かの判断を行い、第２のペアリングを実行すべきと判断した場合に、設定器３０と第２のペアリングを実行する。第２のペアリングは、第１のペアリングが失敗または不安定な状態である場合に、設定器３０に対して第１のペアリングの結果および過程に関する情報を通知するために実行される。
【００３２】
具体的には、制御部１０ｃは、第１のペアリングの結果が失敗である場合は、第１のペアリングの結果が失敗であるという失敗情報を設定器３０に送信する。また、制御部１０ｃは、第１のペアリングの過程における複数回の通信可否確認のうち１回以上の失敗がある場合に、通信可否確認に関する情報を設定器３０に送信する。また、制御部１０ｃは、第１のペアリングの過程における電波強度が基準値よりも小さい場合に、電波強度に関する情報を設定器３０に送信する。
【００３３】
本実施の形態では、制御部１０ｃは、第１のペアリングの結果または過程に関する情報に基づいて、第２のペアリングを実行すべきか否かを判断し、第２のペアリングを実行すべきと判断した場合に第２のペアリングを実行する。例えば、照明器具１〜４のうち照明器具４と無線コントローラ２１とのペアリングが失敗した場合に、上記第２のペアリングが実行されることによって、照明器具４の制御部１０ｃは、設定器３０に第１のペアリングの結果または過程に関する情報を送信することができる。
【００３４】
設定器３０は、例えば、タブレットパソコンなどの操作端末である。設定器３０は、信号送信部３０ａと、通信部３０ｂと、表示部３０ｄとを備え、また、信号送信部３０ａ、通信部３０ｂおよび表示部３０ｄのそれぞれに接続された制御部３０ｃを備えている。
【００３５】
信号送信部３０ａは、例えば、赤外線発信器であり、前述した第１の指示信号を赤外線通信ｉ１で発信する。通信部３０ｂは、アンテナおよび無線モジュールなどにより構成されている。通信部３０ｂは、無線ｒ２によって照明器具１と通信可能である。表示部３０ｄは、例えばタッチパネルであり、制御部３０ｃの出力を表示する機能および利用者からの入力を受け付ける機能を備えている。
【００３６】
制御部３０ｃは、ＣＰＵ、ＲＡＭおよびＲＯＭなどにより構成される。制御部３０ｃには、設定器３０の識別情報が記憶されている。また、制御部３０ｃには、無線ｒ３などを用いて事前に取得した無線コントローラ２１の識別情報が記憶されている。
【００３７】
制御部３０ｃは、信号送信部３０ａを介して、第１のペアリングを開始する指示である第１の指示を、照明器具１に送信する。また、制御部３０ｃは、通信部３０ｂを介して、例えば照明器具４から第１のペアリングの結果または過程に関する情報を受信した場合に、受信したこれらの情報を表示部３０ｄに出力する。
【００３８】
本実施の形態における各照明器具１〜４の制御部１０ｃは、第１の指示信号を受信した後に無線コントローラ２１との第１のペアリングを実行する。そして、第１のペアリングの結果または過程に関する情報に基づいて、設定器３０との第２のペアリングを実行すべきか否かを判断し、第２のペアリングを実行すべきと判断した場合に設定器３０との第２のペアリングを実行する。
【００３９】
例えば、照明器具４と無線コントローラ２１との第１のペアリングが失敗した場合、照明器具４と新たにペアリングさせる無線コントローラ２２をどの場所に設置するのかを決める必要がある。本実施の形態では、第１のペアリングが失敗した場合に照明器具４と設定器３０との第２のペアリングが実行されるので、例えば、設定器３０を照明器具４から引き離し、この引き離した位置にて設定器３０を用いて照明器具４の点灯可否を確認することができる。これにより、照明器具４を通信制御することが可能な領域を把握することができる。そして、この通信制御することが可能な領域を、他の無線コントローラ２２の設置候補場所とすることで、増設する無線コントローラ２２の設置場所を適切に決めることができる。
【００４０】
また、例えば、照明器具４と無線コントローラ２１との第１のペアリングが不十分である場合、利用者は、照明器具４と無線コントローラ２１との第１のペアリングの結果または過程に関する情報を予め把握しておけば、その結果または過程に対応して起こり得る事態について、事前に対処策を講ずることができる。本実施の形態では、照明器具４と設定器３０との第２のペアリングが実行されるので、第１のペアリングの結果または過程に関する情報を設定器３０にて取得し、表示することができる。このように、設定器３０に第１のペアリングの結果または過程に関する情報が表示されることで、利用者は、上記のペアリングに関する情報を把握することができ、不安定な通信状態が発生しにくいように対処策を講ずることができる。
【００４１】
［１−２．照明システムのペアリング方法］
次に、実施の形態１に係る照明システム１００のペアリング方法について説明する。
【００４２】
図３Ａ、図３Ｂ、図３Ｃ、図３Ｄおよび図３Ｅは、照明システム１００において、ペアリング作業を行う様子を順に示す図である。図４は、照明システム１００のペアリング方法を示すフローである。図５は、照明システム１００の設定器３０の表示部３０ｄを示す図である。
【００４３】
ペアリング作業を開始する直前において、各照明器具１〜４は１００％点灯の状態となっている。この状態から、各照明器具１〜４に対してペアリングの設定作業を行う。
【００４４】
まず、図３Ａおよび図４に示すように、照明器具１の下に設定器３０を配置し、設定器３０から照明器具１に、前述した第１の指示信号を送信する。この第１の指示信号には、無線コントローラ２１の識別情報および設定器３０の識別情報などが含まれている。
【００４５】
照明器具１は、第１の指示信号を受信することで、無線コントローラ２１と第１のペアリングを実行する。具体的には、照明器具１と無線コントローラ２１とが、互いの識別情報を交換することで通信の確立を行う。ここで、照明器具１は、第１のペアリングの結果または過程に関する情報に基づいて、設定器３０との第２のペアリングを実行すべきか否かを判断する。この実施の形態では、第１のペアリングが成功し、第２のペアリングは不要であると判断される。第１のペアリングが成功すると、照明器具１はペアリング設定前の状態から変化し、例えば下限点灯の状態となる。
【００４６】
次に、照明器具１の隣に位置する照明器具２の下に設定器３０を配置し、上記と同様に照明器具２に第１の指示信号を送信する。この実施の形態では、照明器具２と無線コントローラ２１との第１のペアリングが成功し、第２のペアリングは不要であると判断される。同様に、照明器具３についても無線コントローラ２１との第１のペアリングが成功し、第２のペアリングは不要であると判断される。
【００４７】
次に、図３Ｂおよび図４に示すように、照明器具４の下に設定器３０を配置し、設定器３０から照明器具４に、第１の指示信号を送信する。
【００４８】
照明器具４は、第１の指示信号を受信することで、無線コントローラ２１と第１のペアリングを実行する。照明器具４は、第１のペアリングの結果または過程に関する情報に基づいて、設定器３０との第２のペアリングを実行すべきか否かを判断する。この実施の形態では、無線ｒ１による第１のペアリングが不十分であり、第２のペアリングが必要であると判断される。そして、無線ｒ２を用いて照明器具４と設定器３０との第２のペアリングが実行される。具体的には、照明器具４と設定器３０とが、互いの識別情報を交換することで通信の確立を行う。
【００４９】
また、照明器具４は、第２のペアリングが実行される際またはその直後に、第１のペアリングの結果または過程に関する情報を設定器３０に送信する。
【００５０】
第２のペアリングが実行されることで、設定器３０は、送信された第１のペアリングの結果または過程に関する情報を受信し、また、受信したこれらのペアリングに関する情報を表示部３０ｄに表示する。表示部３０ｄには、図５の（ａ）に示すように、照明器具４にて第１のペアリングの不良が発生したという情報、および、設定器３０との第２のペアリングが実行されたという情報が表示される。
【００５１】
次に、図３Ｃおよび図４に示すように、照明器具４の下の位置で、設定器３０にて照明器具４を点灯制御できるかを確認する。具体的には、図５の（ａ）にて「器具０４」のアイコンに触れることで、図５の（ｂ）に示す操作画面を開き、「ＯＮ」または「ＯＦＦ」のアイコンに触れることで、照明器具４に点灯信号を送信する。この点灯信号は、無線ｒ１と同じ周波数帯を有する無線ｒ２によって送信される。ＯＮまたはＯＦＦの入力に応じて照明器具４が点灯または消灯することで、設定器３０にて照明器具４を点灯制御できることが確認される。なお、図３Ｃに示す点灯確認を省略し、次に示す工程を行うことも可能である。
【００５２】
次に、図３Ｄおよび図４に示すように、設定器３０を移動させて照明器具４から引き離し、設定器３０にて照明器具４を点灯制御できるかを確認する。具体的には、図５の（ｃ）に示す操作画面の「ＯＮ」または「ＯＦＦ」のアイコンに触れることで、設定器３０から照明器具４に点灯信号を送信する。この点灯信号は、無線ｒ２によって送信される。このＯＮまたはＯＦＦの入力に応じて照明器具４が点灯または消灯することを確認することで、照明器具４から離れて位置する設定器３０から無線ｒ２を用いて照明器具４を点灯制御できることがわかる。照明器具４の点灯制御が可能な上記の位置に他の無線コントローラ２２を増設することで、他の無線コントローラ２２の設置場所を適切に決めることができる。なお、照明器具４以外にも第２のペアリングを行った他の照明器具が存在する場合は、他の照明器具についても同様に点灯制御を確認し、他の照明器具を含めて点灯制御可能な場所に無線コントローラ２２を設置すればよい。
【００５３】
次に、無線コントローラ２２を増設した後、図３Ｅおよび図４に示すように、照明器具４の下に設定器３０を再び配置し、設定器３０から照明器具４に、第１の指示信号を再び送信する。ここで示す第１の指示信号とは、照明器具４と無線コントローラ２２とのペアリングを開始する指示信号である。この第１の指示信号には、第１のペアリングの相手である無線コントローラ２２の識別情報などが含まれている。
【００５４】
照明器具４は、第１の指示信号を受信することで、無線コントローラ２２と第１のペアリングを実行する。これにより、照明器具４と無線コントローラ２２とが、互いの識別情報を交換して通信の確立を行う。第１のペアリングが成功すると、照明器具４はペアリング設定前の状態から変化し、例えば下限点灯の状態となる。これにより、照明システム１００における照明器具４のペアリングを終えることができる。
【００５５】
本実施の形態では、例えば、照明器具４の第１のペアリングの結果または過程に基づいて、照明器具４と設定器３０との第２のペアリングが実行される。そのため、設定器３０を用いて、照明器具４から離れた位置にて照明器具４の点灯可否を確認することができ、照明器具４の通信制御可能な領域に関する情報を取得することができる。そして、この通信制御可能な領域を、増設する無線コントローラ２２の設置候補場所とすることで、無線コントローラ２２の設置場所を適切に決めることができる。
【００５６】
（実施の形態２）
次に、実施の形態２に係る照明システム１００Ａについて説明する。実施の形態２に係る照明システム１００Ａは、第１のペアリングの過程に関する情報として、設定器３０が通信可否確認に関する情報を表示する点で、実施の形態１と異なっている。
【００５７】
図６Ａは、照明システム１００Ａのペアリング方法を示すフローである。図６Ｂは、照明システム１００Ａの設定器３０の表示部３０ｄを示す図である。
【００５８】
照明器具１〜３に関するペアリングについては、実施の形態１と同様であるので説明を省略し、照明器具４に関するペアリングについて説明する。
【００５９】
図６Ａに示すように、照明器具４は、第１の指示信号を受信することで、無線コントローラ２１と第１のペアリングを実行する。照明器具４は、第１のペアリングの過程に関する情報に基づいて、設定器３０との第２のペアリングを実行すべきか否かを判断する。
【００６０】
実施の形態２では、ペアリングの結果としては成功であるが、ペアリングの過程において通信不可である状態が存在し、第２のペアリングが必要であると判断される。具体的には、第１のペアリングの過程における複数回の通信可否確認のうち１回以上の失敗がある場合に第２のペアリングが必要であると判断される。そして、無線ｒ２を用いて照明器具４と設定器３０との第２のペアリングが実行される。
【００６１】
照明器具４は、第２のペアリングが実行される際またはその直後に、第１のペアリングの過程に関する情報を設定器３０に送信する。
【００６２】
設定器３０は、送信された第１のペアリングの過程に関する情報を受信し、また、受信したこれらのペアリングに関する情報を表示部３０ｄに表示する。表示部３０ｄには、図６Ｂの（ａ）に示すように、無線コントローラ２１との第１のペアリングが成功したという情報、および、設定器３０との第２のペアリングが実行されたという情報が表示される。また、表示部３０ｄには、「詳細表示」のアイコンが表示される。この「詳細表示」に触れることで、図６Ｂの（ｂ）に示す通知画面が開き、この画面内に通信可否確認内容が表示される。図６Ｂの（ｂ）では、２回の通信可否確認を行ったうち、１回目はタイムアウトで失敗し、２回目は成功したという情報が示されている。
【００６３】
実施の形態２の照明システム１００Ａでは、照明器具４と設定器３０との第２のペアリングが実行されるので、第１のペアリングの過程の情報である通信可否確認に関する情報を設定器３０にて取得し、表示することができる。このように、設定器３０に第１のペアリングの過程の通信可否確認に関する情報が表示されるので、利用者は、照明システム１００Ａに不安定な通信状態が発生しにくいように対処策を講ずることができる。
【００６４】
（実施の形態３）
次に、実施の形態３に係る照明システム１００Ｂについて説明する。実施の形態３に係る照明システム１００Ｂは、第１のペアリングの過程に関する情報として、設定器３０が電波強度に関する情報を表示する点で、実施の形態２と異なっている。
【００６５】
図７Ａは、照明システム１００Ｂのペアリング方法を示すフローである。図７Ｂは、照明システム１００Ｂの設定器３０の表示部３０ｄを示す図である。
【００６６】
図７Ａに示すように、照明器具４は、第１の指示信号を受信することで、無線コントローラ２１と第１のペアリングを実行する。照明器具４は、第１のペアリングの過程に関する情報に基づいて、設定器３０との第２のペアリングを実行すべきか否かを判断する。
【００６７】
実施の形態３では、ペアリングの結果としては成功であるが、ペアリングの過程において電波強度の弱い状態が存在し、第２のペアリングが必要であると判断される。具体的には、第１のペアリングの過程における電波強度が基準値よりも小さい場合に第２のペアリングが必要であると判断される。そして、無線ｒ２を用いて照明器具４と設定器３０との第２のペアリングが実行される。
【００６８】
照明器具４は、第２のペアリングが実行される際またはその直後に、第１のペアリングの過程に関する情報を設定器３０に送信する。
【００６９】
設定器３０は、送信された第１のペアリングの過程に関する情報を受信し、また、受信したこれらのペアリングに関する情報を表示部３０ｄに表示する。表示部３０ｄには、図７Ｂの（ａ）に示すように、無線コントローラ２１との第１のペアリングが成功したという情報、および、設定器３０との第２のペアリングが実行されたという情報が表示される。また、表示部３０ｄには、「詳細表示」のアイコンが表示される。この「詳細表示」に触れることで、図７Ｂの（ｂ）に示す通知画面が開き、この画面内に電波強度確認内容が表示される。図７Ｂの（ｂ）では、３回の電波強度の確認を行ったうち、１回目および２回目の電波強度が弱く、３回目の電波強度が中程度であるという情報が示されている。
【００７０】
実施の形態３の照明システム１００Ｂでは、照明器具４と設定器３０との第２のペアリングが実行されるので、第１のペアリングの過程である電波強度に関する情報を設定器３０にて取得し、表示することができる。このように、設定器３０に第１のペアリングの過程の電波強度に関する情報が表示されるので、利用者は、照明システム１００Ｂに不安定な通信状態が発生しにくいように対処策を講ずることができる。
【００７１】
（実施の形態４）
次に、実施の形態４に係る照明システム１００Ｃについて説明する。実施の形態４に係る照明システム１００Ｃは、無線コントローラ２２を増設した後に、無線コントローラ２２に対してペアリングを開始する信号を送信する点で、実施の形態１と異なっている。
【００７２】
図８Ａは、照明システム１００Ｃにおいて、ペアリング作業を行う様子を示す図である。図８Ｂは、照明システム１００Ｃのペアリング方法を示すフローである。図８Ｃは、照明システム１００Ｃの設定器３０の表示部３０ｄを示す図である。
【００７３】
図８Ａは、照明器具１〜４と異なる照明器具６、７、８について、無線コントローラ２１との第１のペアリングを試みたが失敗し、設定器３０との第２のペアリングが実行され、その後、照明器具６〜８と通信可能な場所に無線コントローラ２２が増設された状態を示している。ここでは、上記の状態から複数の照明器具６〜８と無線コントローラ２２とのペアリングを一挙に行う例について説明する。
【００７４】
まず始めに、ペアリング相手を指定するための操作を行う。図８Ｃに示すように、設定器３０の表示部３０ｄには、複数の照明器具のうちの照明器具４、６、７および８と無線コントローラ２１との第１のペアリングが失敗したという情報が示されている。また、表示部３０ｄには、照明器具４、６、７、８について、設定器３０との第２のペアリングが実行されたという情報が表示されている。ここで、これからペアリングを行う対象器具を指定するため、表示部３０ｄ上にて、例えば照明器具４、６〜８のうちの照明器具「０６、０７、０８」を選択する。また、照明器具６〜８のペアリング相手として無線コントローラ「２２」を選択する。
【００７５】
そして、図８Ａおよび図８Ｂに示すように、無線コントローラ２２の近くに設定器３０を配置し、設定器３０から無線コントローラ２２に第１の指示信号を送信する。ここで示す第１の指示信号とは、指定された照明器具６、７、８のそれぞれと無線コントローラ２２とのペアリングを開始する指示信号である。この第１の指示信号には、第２のペアリング時に取得した照明器具６〜８の識別情報などが含まれている。これらの照明器具６〜８の識別情報は、無線ｒ２を用いて設定器３０から無線コントローラ２２に一括して送信される。なお、無線コントローラ２２が赤外線を検出可能な信号受信部を有している場合は、設定器３０は、赤外線通信ｉ１によって第１の指示信号を一括して送信してもよい。
【００７６】
無線コントローラ２２は、一括送信された第１の指示信号を受信することで、照明器具６〜８のそれぞれと第１のペアリングを一挙に実行する。
【００７７】
本実施の形態では、増設した他の無線コントローラ２２に、複数の照明器具６〜８の識別情報が一括して送信される。これにより、無線コントローラ２２と照明器具６〜８とのペアリングを一挙に行うことができ、ペアリング作業を効率化することができる。
【００７８】
（実施の形態５）
次に、実施の形態５に係る照明システム１００Ｄについて説明する。実施の形態５では、照明システム１００Ｄの通信状態を改善するために中継器４０を設置する点で、実施の形態１と異なっている。
【００７９】
図９Ａ、図９Ｂおよび図９Ｃは、照明システム１００Ｄにおいて、ペアリング作業を行う様子を順に示す図である。図９Ｄは、照明システム１００Ｄのペアリング方法を示すフローである。図９Ｅは、照明システム１００Ｄの設定器３０の表示部３０ｄを示す図である。
【００８０】
図９Ａは、照明器具４について、無線コントローラ２１との第１のペアリングを試みたが失敗し、設定器３０との第２のペアリングが実行された状態を示している。ここでは、上記の状態から中継器４０の設置場所を決め、中継器４０を設置した後に、照明器具４と無線コントローラ２１とのペアリングを行う例について説明する。
【００８１】
まず、図９Ａおよび図９Ｃに示すように、設定器３０を移動させて、設定器３０を照明器具４と無線コントローラ２１との間に配置する。そして、設定器３０にて照明器具４を点灯制御できるか、また、設定器３０と無線コントローラ２１との間で通信が可能であるかを確認する。
【００８２】
具体的には、設定器３０を移動させた後、図９Ｅの（ｂ）に示す操作画面の「ＯＮ」または「ＯＦＦ」のアイコンに触れることで、設定器３０から照明器具４に点灯信号を送信する。このＯＮまたはＯＦＦの入力に応じて照明器具４が点灯または消灯することを確認することで、設定器３０の位置から無線ｒ２を用いて照明器具４を点灯制御できることがわかる。また、図９Ｅの（ｃ）に示す操作画面の「実行」のアイコンに触れることで、設定器３０から無線コントローラ２１との通信確認を行う。例えばこの「実行」の入力に応じて、無線コントローラ２１のパイロットランプが点灯または消灯することを確認することで、設定器３０の位置から無線ｒ３を用いて無線コントローラ２１と通信できることがわかる。これらによって、照明器具４の点灯制御が可能で、かつ、無線コントローラ２１との通信が可能な場所を中継器４０の設置候補場所とすることができる。
【００８３】
次に、中継器４０を設置した後、図９Ｂに示すように、中継器４０の下に設定器３０を配置し、中継器４０と無線コントローラ２１とのペアリングを開始する指示信号である第１の指示信号を、設定器３０から中継器４０に送信する。中継器４０は、第１の指示信号を受信することで、無線コントローラ２１と第１のペアリングを実行する。
【００８４】
また、図９Ｃに示すように、照明器具４の下に設定器３０を配置し、設定器３０から照明器具４に第１の指示信号を送信する。照明器具４は、第１の指示信号を受信することで、中継器４０との第１のペアリングを実行する。これらにより、中継器４０を介して、照明器具４と無線コントローラ２１とが通信可能となる。
【００８５】
本実施の形態では、例えば照明器具４について、第１のペアリングが失敗した場合に、設定器３０との第２のペアリングが実行される。そのため、例えば、設定器３０を移動させ、その移動させた位置にて照明器具４の点灯可否および無線コントローラ２１の通信状態を確認することで、照明器具４と設定器３０との通信可能な領域、および、無線コントローラ２１と設定器３０との通信可能な領域をほぼ同時に把握することができる。そして、この通信可能な領域を、中継器４０の設置候補場所とすることで、中継器４０の設置場所を適切に決めることができる。
【００８６】
（効果等）
本実施の形態に係る照明システム１００は、複数の照明器具１〜４と、複数の照明器具１〜４と通信する無線コントローラ２１と、複数の照明器具１〜４と通信する設定器３０とを備える。設定器３０は、複数の照明器具１〜４のそれぞれと無線コントローラ２１とのペアリングを開始する第１の指示信号を送信する信号送信部３０ａを備える。複数の照明器具１〜４のそれぞれは、第１の指示信号を受信する信号受信部１０ａと、第１の指示信号を受信した後に無線コントローラ２１との第１のペアリングを実行し、第１のペアリングの結果または過程に関する情報に基づいて、設定器３０との第２のペアリングを実行すべきか否かを判断し、第２のペアリングを実行すべきと判断した場合に設定器３０との第２のペアリングを実行する制御部１０ｃとを備える。
【００８７】
これによれば、例えば、照明器具４の第１のペアリングの結果または過程に基づいて、照明器具４と設定器３０との第２のペアリングが実行される。そのため、設定器３０を用いて、照明器具４から離れた位置にて照明器具４の点灯可否を確認することができ、照明器具４の通信制御可能な領域に関する情報を取得することができる。そして、この通信制御可能な領域を、増設する無線コントローラ２２の設置候補場所とすることで、無線コントローラ２２の設置場所を適切に決めることができる。
【００８８】
また、例えば、照明器具４の第１のペアリングの結果または過程に基づいて、照明器具４と設定器３０との第２のペアリングが実行されるので、第１のペアリングの結果または過程に関する情報を設定器３０に送信し、その情報を設定器２０に表示することができる。このように、第１のペアリングの結果または過程に関する情報を取得し、設定器３０に表示することで、利用者は、照明システム１００に不安定な通信状態が発生しにくいように対処策を講ずることができる。
【００８９】
また、複数の照明器具１〜４のそれぞれは、設定器３０と通信する通信部１０ｂを備え、制御部１０ｃは、第２のペアリングを実行すべきと判断した場合に、第１のペアリングの結果または過程に関する情報を通信部１０ｂを介して設定器３０に送信し、設定器３０は、送信された第１のペアリングの結果または過程に関する情報を表示する表示部３０ｄを備えていてもよい。
【００９０】
このように、第１のペアリングの結果または過程に関する情報を取得し、設定器３０に表示することで、利用者は、照明システム１００に不安定な通信状態が発生しにくいように対処策を講ずることができる。
【００９１】
また、制御部１０ｃは、第１のペアリングの結果が失敗である場合に、第２のペアリングを実行すべきと判断し、かつ、第１のペアリングの結果に関する情報である失敗情報を通信部１０ｂを介して設定器３０に送信し、設定器３０の表示部３０ｄは、送信された失敗情報を表示してもよい。
【００９２】
このように、第１のペアリングの結果である失敗情報を取得し、設定器３０に表示することで、利用者は、照明システム１００に不安定な通信状態が発生しにくいように対処策を講ずることができる。
【００９３】
また、制御部１０ｃは、第１のペアリングの過程において複数回の通信可否確認を行い、複数回の通信可否確認のうち１回以上の失敗がある場合に、第２のペアリングを実行すべきと判断し、かつ、第１のペアリングの過程に関する情報である通信可否確認の情報を通信部１０ｂを介して設定器３０に送信し、設定器３０の表示部３０ｄは、送信された通信可否確認の情報を表示してもよい。
【００９４】
このように、第１のペアリングの過程である通信可否確認に関する情報を取得し、設定器３０に表示することで、利用者は、照明システム１００に不安定な通信状態が発生しにくいように対処策を講ずることができる。
【００９５】
また、制御部１０ｃは、第１のペアリングの過程において電波強度が基準値よりも小さい場合に、第２のペアリングを実行すべきと判断し、かつ、第１のペアリングの過程に関する情報である電波強度の情報を通信部１０ｂを介して設定器３０に送信し、設定器３０の表示部３０ｄは、送信された電波強度の情報を表示してもよい。
【００９６】
このように、第１のペアリングの過程である電波強度に関する情報を取得し、設定器３０に表示することで、利用者は、照明システム１００に不安定な通信状態が発生しにくいように対処策を講ずることができる。
【００９７】
また、設定器３０は、照明器具１〜４と通信する通信部３０ｂと、照明器具１〜４の点灯を制御する制御部３０ｃとを備え、設定器３０の制御部３０ｃは、第２のペアリングが実行された後に、当該通信部３０ｂを介して、複数の照明器具１〜４のうち第２のペアリングを行った照明器具（例えば照明器具４）に点灯信号を送信してもよい。
【００９８】
このように、設定器３０を用いて照明器具４の点灯可否を確認することで、照明器具４の通信制御可能な領域を把握することができる。そして、この通信制御可能な領域を、増設する無線コントローラ２２の設置候補場所とすることで、無線コントローラ２２の設置場所を適切に決めることができる。
【００９９】
また、設定器３０の制御部３０ｃは、第２のペアリングが実行された後に、無線コントローラ２１との通信確認を行ってもよい。
【０１００】
これにより、無線コントローラ２１および設定器３０の通信制御可能な領域を把握することができる。そして、この通信制御可能な領域を、中継器４０の設置候補場所とすることで、中継器４０の設置場所を適切に決めることができる。
【０１０１】
また、設定器３０の制御部３０ｃは、第２のペアリングが実行された後に、無線コントローラ２１と異なる他の無線コントローラ２２に、当該通信部３０ｂを介して、複数の照明器具１〜４のうち第２のペアリングを行った照明器具（例えば照明器具４）の識別情報を送信してもよい。
【０１０２】
これによれば、無線ｒ２を用いて無線コントローラ２２と照明器具４とのペアリングを行うことができる。
【０１０３】
また、第２のペアリングを行った照明器具６〜８が複数存在し、設定器３０が上記識別情報を複数有する場合に、設定器３０の制御部３０ｃは、他の無線コントローラ２２に、当該通信部３０ｂを介して、複数の識別情報を一括送信してもよい。
【０１０４】
これによれば、無線コントローラ２２と複数の照明器具６〜８とのペアリングを一挙に行うことができるので、ペアリング作業を効率化することができる。
【０１０５】
本実施の形態に係る照明器具（例えば照明器具４）は、また、無線コントローラ２１および設定器３０と通信する照明器具４であって、無線コントローラ２１とのペアリングを開始する第１の指示信号を受信する信号受信部１０ａと、第１の指示信号を受信した後に無線コントローラ２１との第１のペアリングを実行し、第１のペアリングの結果または過程に基づいて、設定器３０との第２のペアリングを実行すべきか否かを判断し、第２のペアリングを実行すべきと判断した場合に設定器３０との第２のペアリングを実行する制御部１０ｃとを備える。
【０１０６】
これによれば、例えば、照明器具４の第１のペアリングの結果または過程に基づいて、照明器具４と設定器３０との第２のペアリングが実行されるので、照明器具４から離れた位置にて照明器具４の点灯可否を確認し、照明器具４の通信制御可能な領域に関する情報を取得することができる。そして、この通信制御可能な領域を、増設する無線コントローラ２２の設置候補場所とすることで、無線コントローラ２２の設置場所を適切に決めることができる。
【０１０７】
本実施の形態に係る照明システム１００のペアリング方法は、複数の照明器具１〜４と、複数の照明器具１〜４と通信する無線コントローラ２１と、複数の照明器具１〜４と通信する設定器３０とを備える照明システム１００のペアリング方法であって、複数の照明器具１〜４のそれぞれに、照明器具１〜４と無線コントローラ２１とのペアリングを開始する第１の指示信号を送信し、第１の指示信号が送信された後に照明器具１〜４と無線コントローラ２１との第１のペアリングを実行し、第１のペアリングの結果または過程に基づいて、照明器具１〜４と設定器３０との第２のペアリングを実行すべきか否かを判断し、第２のペアリングを実行すべきと判断した場合に第２のペアリングを実行する。
【０１０８】
これによれば、例えば、照明器具４の第１のペアリングの結果または過程に基づいて、照明器具４と設定器３０との第２のペアリングが実行される。そのため、設定器３０を用いて、照明器具４から離れた位置にて照明器具４の点灯可否を確認することができ、照明器具４の通信制御可能な領域に関する情報を取得することができる。そして、この通信制御可能な領域を、増設する無線コントローラ２２の設置候補場所とすることで、無線コントローラ２２の設置場所を適切に決めることができる。
【０１０９】
また、第２のペアリングが実行された照明器具（例えば照明器具４）に、無線コントローラ２１と異なる他の無線コントローラ２２とのペアリングを開始する第１の指示信号を送信し、第１の指示信号が送信された後に当該照明器具４と他の無線コントローラ２２とのペアリングを実行してもよい。
【０１１０】
これによれば、第１の指示信号を用いて無線コントローラ２２と照明器具４との第１のペアリングを行うことができる。
【０１１１】
（その他の形態）
以上、照明システム１００、１００Ａ、１００Ｂ、１００Ｃ、１００Ｄ等について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【０１１２】
実施の形態１では、無線コントローラで照明器具の調光または調色を制御するために第１のペアリングを行う例を示したが、ペアリングを行う目的はそれらに限られない。例えば、無線コントローラと照明器具との間で互いの識別情報を交換し、一時的にペアリングを行うことで互いの通信状態を確認する場合も本発明で示すペアリングに含まれる。
【符号の説明】
【０１１３】
１、２、３、４  照明器具
１０ａ  信号受信部
１０ｂ  通信部
１０ｃ  制御部
２１、２２  無線コントローラ
３０    設定器
３０ａ  信号送信部
３０ｂ  通信部
３０ｃ  制御部
３０ｄ  表示部
１００、１００Ａ、１００Ｂ、１００Ｃ、１００Ｄ  照明システム
【図１】
2019009601.tif 000003
【図２】
2019009601.tif 000004
【図３Ａ】
2019009601.tif 000005
【図３Ｂ】
2019009601.tif 000006
【図３Ｃ】
2019009601.tif 000007
【図３Ｄ】
2019009601.tif 000008
【図３Ｅ】
2019009601.tif 000009
【図４】
2019009601.tif 000010
【図５】
2019009601.tif 000011
【図６Ａ】
2019009601.tif 000012
【図６Ｂ】
2019009601.tif 000013
【図７Ａ】
2019009601.tif 000014
【図７Ｂ】
2019009601.tif 000015
【図８Ａ】
2019009601.tif 000016
【図８Ｂ】
2019009601.tif 000017
【図８Ｃ】
2019009601.tif 000018
【図９Ａ】
2019009601.tif 000019
【図９Ｂ】
2019009601.tif 000020
【図９Ｃ】
2019009601.tif 000021
【図９Ｄ】
2019009601.tif 000022
【図９Ｅ】
2019009601.tif 000023